(57)【要約】【課題】記録ディスクメディアの高密度記録化を図ることができるディスクカートリッジを提供する。【解決手段】  本発明は、記録ディスクメディア３０と、記録ディスクメディア３０を回転自在に収容するとともに、アーチ状の輪郭部を有するカートリッジケース１０と、を有する記録ディスクカートリッジ１において、カートリッジケース１０は、カートリッジケース１０の上壁を構成する金属プレートからなる上シェル１１と、当該カートリッジケースの下壁を構成する金属プレートからなる下シェル１２と、上シェル１１と下シェル１２との間に挟まれてアーチ状の輪郭部を構成する合成樹脂製のアーチ状フレーム１３１と、を有し、アーチ状フレーム１３１は、上シェル１１及び下シェル１２と別体で構成されていることを特徴とする。【選択図】図５
2007141351.tif 000002
【特許請求の範囲】
【請求項１】
記録ディスクメディアと、
前記記録ディスクメディアを回転自在に収容するとともに、アーチ状の輪郭部を有するカートリッジケースと、を有する記録ディスクカートリッジであって、
前記カートリッジケースは、
当該カートリッジケースの上壁を構成する金属プレートからなる上シェルと、
当該カートリッジケースの下壁を構成する金属プレートからなる下シェルと、
前記上シェルと前記下シェルとの間に挟まれて前記アーチ状の輪郭部を構成する合成樹脂製のアーチ状フレームと、を有し、
前記アーチ状フレームは、前記上シェル及び下シェルと別体で構成されていることを特徴とする記録ディスクカートリッジ。
【請求項２】
前記上シェルは、前記金属プレートを前記下シェル側に折り曲げ加工して当該金属プレートと一体形成した平面視直線状の第１折り曲げ部を有し、
前記下シェルは、前記金属プレートを前記上シェル側に折り曲げ加工して当該金属プレートと一体形成した平面視直線状の第２折り曲げ部を有し、
前記第１折り曲げ部と前記第２折り曲げ部とは、互いに重なり合って、前記カートリッジケースの周壁の一部を構成していることを特徴とする請求項１に記載の記録ディスクカートリッジ。
【請求項３】
前記第１折り曲げ部及び前記第２折り曲げ部の一方は、前記第１折り曲げ部及び前記第２折り曲げ部の他方の端部がはまり込む係合部を有することを特徴とする請求項２に記載の記録ディスクカートリッジ。
【請求項４】
前記第１折り曲げ部及び前記第２折り曲げ部の一方は、前記第１折り曲げ部及び前記第２折り曲げ部の他方に向かって突出する係合折り曲げ部を端部に有し、
前記第１折り曲げ部及び前記第２折り曲げ部の他方は、前記係合折り曲げ部と係合する係合部を有することを特徴とする請求項２に記載の記録ディスクカートリッジ。
【請求項５】
前記アーチ状フレームは、前記上シェル及び前記下シェルの少なくとも一方と、接着により互いに固着されていることを特徴とする請求項１から請求項４のいずれか１項に記載の記録ディスクカートリッジ。
【請求項６】
前記アーチ状フレームは、アウトサート成形により、前記上シェル及び前記下シェルの一方と一体成形されるとともに、前記上シェル及び前記下シェルの他方とカシメ法により互いに固着されることを特徴とする請求項１から請求項４のいずれか１項に記載の記録ディスクカートリッジ。
【請求項７】
前記アーチ状フレームは、前記上シェル及び前記下シェルと当接する面に複数のボスをそれぞれ有し、
前記上シェル及び前記下シェルは、前記複数のボスが挿入される複数のボス孔をそれぞれ有し、
前記上シェル及び前記下シェルと前記アーチ状フレームとは、前記ボスを前記ボス孔に挿入した状態で前記ボスをかしめることによって組みつけられていることを特徴とする請求項１から請求項４のいずれか１項に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収納するカートリッジケースとを備える記録ディスクカートリッジに関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。
ここで、図１２（ａ）は、従来の記録ディスクカートリッジの上側を見下ろした様子を示す図、図１２（ｂ）は、従来の記録ディスクカートリッジの下側を見上げた様子を示した図である。従来の記録ディスクカートリッジ８１０は、図１２（ａ）および図１２（ｂ）に示すように、カートリッジケース８１０のカートリッジケース８１０の内部に回転自在に配置された記録ディスクメディア８３０とを備えている。ここで、カートリッジケース８１０は、上シェル８１１および下シェル８１２とから構成されている。
【特許文献１】米国特許第６２５６１６８号明細書
【発明の開示】
【発明が解決しようとする課題】
【０００４】
しかしながら、従来の記録ディスクカートリッジ８００において、カートリッジケース８１０の前側に設けられるアーチ状の周壁部は、金属プレートである上シェル８１１と下シェル８１２の周縁部を立ち上げるように、絞り加工を施すことにより形成されていた。
このように上シェル８１１および下シェル８１２に絞り加工を施すと、絞り加工を施した箇所に加工歪みが生じる。このような状態で上シェル８１１と下シェル８１２とを一体化させると、カートリッジケース８１０の平坦性が損なわれる場合があった。このように、カートリッジケース８１０の平坦性が損なわれると、内部に配置された記録ディスクメディア８３０の回転動作が安定しなくなり、記録ディスクメディア８３０の高密度記録化の妨げになっていた。
【０００５】
そこで、本発明は、記録ディスクメディアの高密度記録化を図ることができる記録ディスクカートリッジを提供することを課題とする。
【課題を解決するための手段】
【０００６】
前記した課題を解決するため、本発明にかかる記録ディスクカートリッジは、記録ディスクメディアと、前記記録ディスクメディアを回転自在に収容するとともに、アーチ状の輪郭部を有するカートリッジケースと、を有する記録ディスクカートリッジであって、前記カートリッジケースは、当該カートリッジケースの上壁を構成する金属プレートからなる上シェルと、当該カートリッジケースの下壁を構成する金属プレートからなる下シェルと、前記上シェルと前記下シェルとの間に挟まれて前記アーチ状の輪郭部を構成する合成樹脂製のアーチ状フレームと、を有し、前記アーチ状フレームは、前記上シェル及び下シェルと別体で構成されていることを特徴とする。
【０００７】
本発明によれば、上シェル及び下シェルとアーチ状フレームとが別体で構成されてその後一体化されることにより、アーチ状フレームによってカートリッジケースのアーチ状の輪郭部が構成されることとなる。したがって、上シェル及び下シェルに加工歪みが生じることを防止することができ、カートリッジケースの平坦性を確保することができる。
【０００８】
また、請求項１に記載の記録ディスクカートリッジにおいて、前記上シェルは、前記金属プレートを前記下シェル側に折り曲げ加工して当該金属プレートと一体形成した平面視直線状の第１折り曲げ部を有し、前記下シェルは、前記金属プレートを前記上シェル側に折り曲げ加工して当該金属プレートと一体形成した平面視直線状の第２折り曲げ部を有し、前記第１折り曲げ部と前記第２折り曲げ部とは、互いに重なり合って、前記カートリッジケースの周壁の一部を構成していることを特徴とする。
【０００９】
これによれば、第１折り曲げ部と第２折り曲げ部とは、上シェルと下シェルとを結合させるときのガイドとなり、上シェルと下シェルとを容易かつ確実に、ずれが生じることなく結合させることができる。
【００１０】
また、請求項２に記載の記録ディスクカートリッジにおいて、前記第１折り曲げ部及び前記第２折り曲げ部の一方は、前記第１折り曲げ部及び前記第２折り曲げ部の他方の端部がはまり込む係合部を有することを特徴とする。
【００１１】
これによれば、第１折り曲げ部及び第２折り曲げ部の一方に設けられた係合部に、第１折り曲げ部及び第２折り曲げ部の他方の端部がはまり込むことにより組みつけられるため、上シェルと下シェルをより強力に結合させることができる。
【００１２】
また、請求項２に記載の記録ディスクカートリッジにおいて、前記第１折り曲げ部及び前記第２折り曲げ部の一方は、前記第１折り曲げ部及び前記第２折り曲げ部の他方に向かって突出する係合折り曲げ部を端部に有し、前記第１折り曲げ部及び前記第２折り曲げ部の他方は、前記係合折り曲げ部と係合する係合部を有することを特徴とする。
【００１３】
これによれば、上シェルと下シェルとをより強力に結合させることができる。
【００１４】
また、請求項１から請求項４のいずれかに記載の記録ディスクカートリッジにおいて、前記アーチ状フレームは、前記上シェルおよび前記下シェルの少なくとも一方と、接着により互いに固着されることを特徴とする。
【００１５】
これによれば、上シェルと下シェルとの間に挟まれるアーチ状フレームが上シェルと下シェルに密接して固着されるので、カートリッジケース内に塵埃が侵入することを防止することができる。
【００１６】
また、請求項１から請求項４のいずれか１項に記載の記録ディスクカートリッジにおいて、前記アーチ状フレームは、アウトサート成形により、前記上シェル及び前記下シェルの一方と一体成形されるとともに、前記上シェル及び前記下シェルの他方とカシメ法により互いに固着されることを特徴とする。
【００１７】
これによれば、アーチ状フレームは少なくとも上シェルと一体に設けられるため、カートリッジケースの製造工程数を減らすことができる。
【００１８】
請求項１から請求項４のいずれか１項に記載の記録ディスクカートリッジにおいて、前記アーチ状フレームは、前記上シェル及び前記下シェルと当接する面に複数のボスをそれぞれ有し、前記上シェル及び前記下シェルは、前記複数のボスが挿入される複数のボス孔をそれぞれ有し、前記上シェル及び前記下シェルと前記アーチ状フレームとは、前記ボスを前記ボス孔に挿入した状態で前記ボスをかしめることによって組みつけられていることを特徴とする。
【００１９】
これによれば、上シェル及び下シェルとアーチ状フレームとを簡易な構成により強力に結合させることができる。
【発明の効果】
【００２０】
本発明によれば、記録ディスクカートリッジの上シェル、下シェルとアーチ状フレームとは別体で構成されるため、カートリッジケースの平坦部に加工歪みが生じることを防止することができる。また、上シェルと下シェルとを容易かつ確実に、ずれが生じることなく結合させることができる。また、カートリッジケース内に塵埃が侵入することを防止することができる。また、カートリッジケースの製造工程数を減らすことができる。また、簡易な構成で上シェルと下シェルとを強力に結合させることができる。
【発明を実施するための最良の形態】
【００２１】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、本実施形態に係るロータリシャッタを示す斜視図であり、（ａ）は前方斜め上方からみた図、（ｂ）は後方斜め下方からみた図である。図４は、本実施形態に係る記録ディスクカートリッジから下シャッタ及びハブ孔シャッタを取り外した様子を下方からみた平面図である。図５は、本実施形態に係る記録ディスクカートリッジの前端部１０ａの分解斜視図であり、図６（ａ）は、本実施形態に係るアーチ状フレームと上シェルの断面図であり、（ｂ）は、本実施形態に係るアーチ状フレームと上シェルとの組み付けの様子を示す断面図である。図７は、本実施形態に係るカートリッジケースの右端部、左端部を示した断面図である。図８は、本実施形態に係る記録ディスクカートリッジをドライブ装置に挿入した状態を示す斜視図である。また、図４中、下シェルのガイド溝及びハブ孔シャッタは、便宜上、仮想線（二点鎖線）で表している。
なお、本実施形態において方向を説明する場合は、図１に示す前、後、右、左、上、下、を基準として説明する。
【００２２】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、記録ディスクメディア３０をクリーニング及び保護等するライナ６０，６０と、各ライナ６０をロータリシャッタ２０の内面に固着する接着層６１（固定層）と、を主に備えている。そして、このような記録ディスクカートリッジ１は、専用のドライブ装置Ｄ（図８参照）に、その前側から挿入されて使用される。
【００２３】
＜カートリッジケース１０＞
カートリッジケース１０は、図１に示すように、記録ディスクメディア３０を収容するための厚さの薄い箱状体である。そして、カートリッジケース１０は、前端部１０ａの輪郭が平面視で円弧（アーチ）状に形成されると共に、後端部１０ｂ、右端部１０ｃ及び左端部１０ｄの輪郭が平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図８参照）。この、平面視で円弧（アーチ）状に形成された輪郭を有する前端部１０ａが、特許請求の範囲における「アーチ状の輪郭部」に相当する。
【００２４】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図８参照）の動作に干渉しない形状となっている。
【００２５】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００２６】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２７】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２８】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。ここで、折り曲げ部１１２ｃ、１１２ｄは、特許請求の範囲における「第１折り曲げ部」に相当し、折り曲げ部１２２ｃ、１２２ｄは、特許請求の範囲における「第２折り曲げ部」に相当する。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが隙間なく重なり合って、左端部１０ｄにおける周壁の一部を構成するようになっている。
すなわち、図７に示すように、下シェル１１２の折り曲げ部１２２ｃ、１２２ｄが上シェル１１の折り曲げ部１１２ｃ、１１２ｄの内側に配置されるように上シェル１１と下シェル１２とが互いに隙間なく重なり合ってカートリッジケース１０の右端部、左端部１０ｃ、１０ｄが形成されている。
【００２９】
さらに、上シェル１１は、その中央部に、ロータリシャッタ２０を回動可能に止め付けるセンタピン５０と係合する係合孔１１３を有している。
【００３０】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００３１】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００３２】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００３３】
また、アーチ状フレーム１３１は、下向きに開口し、カートリッジケース１０の内部と外部を連通させる係合溝１３１ｅ（図４参照）を有している。この係合溝１３１ｅは、後記するロック片７０が係合する溝である。
【００３４】
Ｖノッチ部材１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００３５】
ここで、前端部１０ａについて詳しく説明する。
図１（ａ）に示すように、カートリッジケース１０のアーチ状の輪郭部である前端部１０ａは、上シェル１１及び下シェル１２にアーチ状フレーム１３１が挟まれて形成されている。
【００３６】
ここで、アーチ状フレーム１３１は、図５に示すように、平面部の上面及び図示しない下面にボス１６を有しており、一方、上シェル１１及び下シェル１２は、ボス１６が挿入されるボス孔１５を有している。
そして、図６に示すように、ボス１６がボス孔１５に挿入されて、加熱装置１５３によりボス１６の頭部がかしめられて、かしめられたボス１６の頭部がテーパ面に広がることにより、上シェル１１及び下シェル１２とアーチ状フレーム１３１とが組みつけられる。
ここで、ボス孔１５は、ボス１６の径と略同一の円筒部１５ａと円筒部１５ａに連続するとともに次第に拡径していくテーパ部１５ｂとにより形成されている。
【００３７】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図３、図５（ａ）参照）。
【００３８】
ロータリシャッタ２０は、図２及び図３に示すように、記録ディスクメディア３０を外部に臨ませる切欠部２０１を有している（図８参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３９】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図４、図８参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図８参照）。
【００４０】
また、ロータリシャッタ２０は、図示しない付勢手段（例えば渦巻きばね）によって、閉方向（図４、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図８参照）。
ちなみに、本発明において、前記付勢手段は必須の構成要素ではなく、ドライブ装置Ｄ（図８参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００４１】
このようなロータリシャッタ２０は、図２及び図３に示すように、金属プレートからなる上シャッタ２１及び下シャッタ２２と、これらの間に介在した合成樹脂製のシャッタウォール２３と、を備えて構成されている。
【００４２】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００４３】
また、上シャッタ２１は、その中央部に、前記したセンタピン５０を挿通させるための挿通孔２１２を有している。
【００４４】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００４５】
さらに、下シャッタ２２の下面には、ロータリシャッタ２０を回動させるためのシャッタノブ２４が取り付けられている（図３（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図８参照）。
【００４６】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタ２２の側面から、その径方向外側に向かって徐々に離れるように延出した細長の金属片である。ロック片７０の先端部７１は、径方向内側に向かってやや屈曲している（図３、図４参照）。
【００４７】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図４参照）に係合し、ロータリシャッタ２０が回動しないようになっている。
【００４８】
また、ロック片７０の先端部７１は、係合溝１３１ｅを介して、記録ディスクカートリッジ１の右側方に臨んでいる。そして、記録ディスクカートリッジ１がドライブ装置Ｄ（図６参照）に挿入されると、ドライブ装置Ｄ内のロック解除ピン（図示省略）が、ロック片７０の先端部７１を径方向内側に押し（図４の矢印Ａ６参照）、ロック片７０と係合溝１３１ｅとの係合が解除され、ロータリシャッタ２０が回動可能となるように構成されている。
【００４９】
また、上シャッタ２１及び下シャッタ２２のフレキシブルディスク３１（記録ディスクメディア３０）側には、それぞれライナ６０、６０が接着層６１を介して上シャッタ２１及び下シャッタ２２に固定されている。
【００５０】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の合成樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００５１】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００５２】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図８参照）のスピンドル（図示省略）にチャックされるチャック部３２１を備えている（図１（ｂ）、図５（ａ）参照）。
【００５３】
＜ハブ孔シャッタ４０＞
図２に戻って説明を続ける。
ハブ孔シャッタ４０は、下シェル１２とハブ３２との間の隙間を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間を開閉するようになっている。
【００５４】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００５５】
また、第１シャッタ４１は、その他方側に、ハブ３２と嵌り合うように半円形状に切り欠かれた嵌合部４１２を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５６】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００５７】
≪記録ディスクカートリッジの作用効果≫
次に、記録ディスクカートリッジ１の動作について適宜図面を参照しながら説明しつつ、記録ディスクカートリッジ１の作用効果について説明する。参照する図面において、図８は、図１の記録ディスクカートリッジをドライブ装置に装填する際の記録ディスクカートリッジの動作を説明するための斜視図であり、記録ディスクカートリッジの下側を見上げた様子を示す図である。
【００５８】
ロータリシャッタ２０は、図８右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００５９】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図４、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４、矢印Ａ２参照）。
【００６０】
そうすると、シャッタノブ２４が固定されたロータリシャッタ２０は、カートリッジケース１０内でセンタピン５０を軸として回動する（図４、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６１】
そして、図６左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００６２】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図４参照）。
【００６３】
＜ハブ孔シャッタ４０の作用効果＞
次に、このようなロータリシャッタ２０の動作に連動するハブ孔シャッタ４０について説明する。
ハブ孔シャッタ４０は、図６右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００６４】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図４、矢印Ａ４、Ａ４参照）。
【００６５】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図４、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図４、矢印Ａ５参照）。
【００６６】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図８左側参照）。その結果として、ハブ３２及びこれを備える記録ディスクメディア３０は、ハブ３２にチャックするドライブ装置Ｄのスピンドル（図示省略）により、良好に回転することができる。
【００６７】
なお、記録ディスクカートリッジ１がドライブ装置Ｄから取り出されると、閉位置に戻るロータリシャッタ２０に連動して、ハブ孔シャッタ４０は隙間Ｓを閉じる。
【００６８】
このような記録ディスクカートリッジ１においては、カートリッジケース１０の前端部１０ａは、上シェル１１及び下シェル１２と、上シェル１１及び下シェル１２の間に挟まれたアーチ状フレーム１３１により形成されている。
【００６９】
そして、図５に示すように、上シェル１１に及び下シェル１２はボス孔１５を、アーチ状フレーム１３１はボス１６を有し、ボス１６の頭部がかしめられることにより固定されている。つまり、記録ディスクカートリッジ１では、従来の記録ディスクカートリッジ（例えば、特許文献１参照）におけるカートリッジケースと異なって、前端部１０ａの周壁部が絞り加工で形成されていないので、加工歪みが生じることがなく、カートリッジケース１０の平坦性が確保される。
【００７０】
そして、例えば、上シェル１１側を例にとると、図６に示すように上シェル１１及び下シェル１２に設けられたボス孔１５は、円筒部１５ａとテーパ部１５ｂとから形成されているので、円筒部１５ａから挿入されて、加熱装置１５３によりかしめられたボス１６の頭部がテーパ部１５ｂに広がり、上シェル１１とアーチ状フレーム１３１とを組み付けるストッパとなる。ちなみに、下シェル１２とアーチ状フレーム１３１とは、上シェル１１とアーチ状フレーム１３１と同様にしてかしめられる。
【００７１】
このとき、ボス孔１５には、テーパ部１５ｂが形成されていることにより、ボス１６の頭部が上シェル１１のプレート部から突き出すことがなく、カートリッジケース１０の表面の平坦性が確保される。
その結果、この記録ディスクカートリッジ１によれば、記録ディスクメディア３０の回転動作が安定するので、記録ディスクメディア３０の高密度記録化を図ることができる。
【００７２】
また、この記録ディスクカートリッジ１では、右端部、左端部１０ｃ、１０ｄの一部は、下シェル１１の折り曲げ部１２２ｃ、１２２ｄが上シェル１１の折り曲げ部１１２ｃ、１１２ｄの内側に配置されるように隙間なく重なり合って形成されている。そのため、記録ディスクカートリッジ１内に塵埃が入り込むことが防止される。
【００７３】
以上、本発明の好適な実施形態について説明したが、本発明は前記実施形態に限定されるものではない。
【００７４】
例えば、上シェル１１及び下シェル１２のいずれか一方とアーチ状フレーム１３１との組み付けは、次のようにアウトサート成形により行ってもよい。ここで、参照する図９（ａ）から図９（ｃ）は、アウトサート成形により上シェル１１とアーチ状フレーム１３１とが一体的に成形され、その後、下シェル１２と組みつけられる様子を示した工程図である。
【００７５】
図９（ａ）に示すように、金型１５０は、断面視で略Ｌ字型の上型１５０ａと下型１５０ｂとが組み合わされて構成されており、金型１５０の内部には、アーチ状フレーム型１６０が形成されている。
そして、上型１５０ａと下型１５０ｂとの間には、下型１５０ｂの上面に沿って上シェル１１の一部が配置されている。
この上シェル１１の一部には、係合突部１６ａを形成するための係合突部型１６１が設けられている。
また、上型１５０ａは、アーチ状フレーム１３１のボス１６を形成するためのボス型１６２と、合成樹脂注入口１５１と、を備えている。そして、上シェル１１の一部は、係合突部１６ａ（図９（ｂ）参照）を形成する係合突部型１６１を有している。
【００７６】
そして、合成樹脂注入口１５１から、金型１５０の内部に溶融した合成樹脂が注入されて一定時間経過すると、合成樹脂が凝固して、図９（ｂ）に示すように、アーチ状フレーム１３１、係合突部１６ａ、ボス１６が形成されるとともに、上シェル１１とアーチ状フレーム１３１とが係合突部１６ａにより一体成形される。
【００７７】
そして、図９（ｃ）に示すように、アーチ状フレーム１３１のボス１６は下シェル１２のボス孔１５に挿入されて加熱装置１５３によりかしめられて、アーチ状フレーム１３１と下シェル１２とが一体化されることとなる。これによれば、アーチ状フレーム１３１が、係合突部１６ａにより上シェル１１と一体成形された後に、下シェル１２と組みつけられるため、カートリッジケース１０の製造工程数を減少させることができる。
【００７８】
また、上シェル１１および下シェル１２とアーチ状フレーム１３１とは、接着によって組み付けられても良い。これによれば、上シェル１１および下シェル１２とアーチ状フレーム１３１とを隙間なく固着することができる。
【００７９】
また、前記実施形態における折り曲げ部１１２ｃ、１１２ｄ及び折り曲げ部１２２ｃ、１２２ｄの端部は、図１０（ａ）から図１０（ｄ）に示すように変更されても良い。図１０（ａ）から図１０（ｄ）は、他の実施形態における折り曲げ部１１２ｃ、１１２ｄ及び折り曲げ部１２２ｃ、１２２ｄの断面図である。
【００８０】
図１０（ａ）に示すように、折り曲げ部１２２ｃ、１２２ｄの端部は、折り曲げ部１１２ｃ、１１２ｄ側にテーパ面１２４が形成されていてもよい。折り曲げ部１２２ｃ、１２２ｄの端部はテーパ面１２４を有するため、折り曲げ部１１２ｃ、１１２ｄの端部がテーパ面１２４に沿って滑らかに移動して、折り曲げ部１１２ｃ、１１２ｄと折り曲げ部１２２ｃ、１２２ｄとが隙間なく重ねあわされる。
【００８１】
これによれば、上シェル１１及び下シェル１２の損傷を防止することができる。
【００８２】
また、図１０（ｂ）に示すように、折り曲げ部１１２ｃ、１１２ｄの折り曲げ部の端部は、折り曲げ部１２２ｃ、１２２ｄ側にテーパ面１１４が形成されていてもよい。この場合も、折り曲げ部１２２ｃ、１２２ｄは折り曲げ部１１２ｃ、１１２ｄの内側を滑らかに移動することができる。
【００８３】
また、図１０（ｃ）に示すように、折り曲げ部１１２ｃ、１１２ｄ及び折り曲げ部１２ｃ、１２２ｄの端部は、それぞれ当接する側にテーパ面１１４、テーパ面１２４が形成されていてもよい。テーパ面１１４とテーパ面１２４が当接することにより、折り曲げ部１２２ｃ、１２２ｄは折り曲げ部１１２ｃ、１１２ｄの内側を滑らかに移動することができる。テーパ面１１４とテーパ面１２４との当接を滑らかにするには、テーパ面１１４とテーパ面１２４は同一角度に形成されていることが望ましい。
また、図１０（ｄ）に示すように、下シェル１２の折り曲げ部１２２ｃ、１２２ｄの端部には、カートリッジケース１０の内側へさらに折り曲げられた屈折部１２３が形成されていてもよい。これにより、上シェル１１の折り曲げ部１１２ｃ、１１２ｄの端部が屈折部１２３に沿って滑らかに移動するため、折り曲げ部１２２ｃ、１２２ｄは折り曲げ部１１２ｃ、１１２ｄの内側を滑らかに移動することができる。
【００８４】
また、折り曲げ部１１２ｃ、１１２ｄと折り曲げ部１２２ｃ、１２２ｄとは、スナップフィット結合により組み付けられていてもよい。
ここで、図１１（ａ）から図１１（ｄ）は、他の実施形態に係るカートリッジケースの右端部、左端部の組み付けを示した断面図である。
【００８５】
図１１（ａ）を参照して説明すると、折り曲げ部１１２ｃ、１１２ｄは係合孔１２５を有し、折り曲げ部１２２ｃ、１２２ｄの端部の係合部１１６が係合孔１２７に僅かにはまり込むようになっている。
これによれば、上シェル１１と下シェル１２とが強力に結合することができる。
【００８６】
また、このとき、折り曲げ部１２２ｃ、１２２ｄがテーパ面１２４を有していることにより、係合部１１６の端部がテーパ面１２４に当接して、折り曲げ部１２２ｃ、１２２ｄは折り曲げ部１１２ｃ、１１２ｄの内部に滑らかに移動することができる。
【００８７】
また、図１１（ｂ）に示すように、折り曲げ部１２２ｃ、１２１ｄは係合孔１２７を有し、折り曲げ部１２２ｃ、１２２ｄの端部に設けられた係合部１１６が係合孔１２５に僅かにはまり込むようになっている。
これによれば、上シェル１１と下シェル１２とが強力に結合することができる。
【００８８】
また、図１１（ｃ）に示すように、折り曲げ部１１２ｃ、１１２ｄの端部は、他方の折り曲げ部側に突出する係合折り曲げ部１１７を有し、折り曲げ部１２２ｃ、１２２ｄに設けられた係合孔１２５に係合するようになっている。
これによれば、上シェル１１と下シェル１２とが強力に結合することができる。
【００８９】
また、図１１（ｄ）に示すように、折り曲げ部１２２ｃ、１２２ｄの端部は、他方の折り曲げ部側に突出する係合折り曲げ部１２７を有し、折り曲げ部１１２ｃ、１１２ｄに設けられた係合孔１１５に係合するようになっている。
これによれば、上シェル１１と下シェル１２とが強力に結合することができる。
なお、本実施形態では、特許請求の範囲における「係合部」は係合孔１１５、係合孔１２５を例にとって説明したが、これに限られるものではなく、適宜変更することができる。例えば、係合凹部でもよいし、係合穴でもよい。
【００９０】
以上、本発明の好適な実施形態について説明したが、本発明は前記実施形態に限定されず、本発明の趣旨を逸脱しない範囲で変更することもできる。
【図面の簡単な説明】
【００９１】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】本実施形態に係るロータリシャッタを示す斜視図であり、（ａ）は前方斜め上方からみた図、（ｂ）は後方斜め下方からみた図である。
【図４】本実施形態に係る記録ディスクカートリッジを下方からみた平面図である。
【図５】本実施形態に係る記録ディスクカートリッジの前端部を示した分解斜視図である。
【図６】（ａ）は、本実施形態に係るアーチ状フレームと上シェルの断面図であり、（ｂ）は、本実施形態に係るアーチ状フレームと上シェルとの組み付けの様子を示す断面図である。
【図７】本実施形態に係るカートリッジケースの右端部、左端部を示した断面図である。
【図８】図１の記録ディスクカートリッジをドライブ装置に装填する際の記録ディスクカートリッジの動作を説明するための斜視図であり、記録ディスクカートリッジの下側を見上げた様子を示す図である。
【図９】他の実施形態に係るカートリッジケースの前端部の組み付けを示した断面図である。
【図１０】他の実施形態に係るカートリッジケースの右端部、左端部の組み付けを示した断面図である。
【図１１】他の実施形態に係るカートリッジケースの右端部、左端部の組み付けを示した断面図である。
【図１２】（ａ）は、従来の記録ディスクカートリッジの上側を前方左側から見下ろした様子を示す図、（ｂ）は、この記録ディスクカートリッジを構成するロータリシャッタの分解斜視図である。
【符号の説明】
【００９２】
１      記録ディスクカートリッジ
１０    カートリッジケース
１０ａ  前端部
１１    上シェル
１２    下シェル
１５    ボス孔
１６    ボス
２０    ロータリシャッタ
３０    記録ディスクメディア
４０    ハブ孔シャッタ
１０１  アクセス用開口部
１１２ｃ、１１２ｄ    折り曲げ部
１２２ｃ、１２２ｄ    折り曲げ部
１３１  アーチ状フレーム
【図１】
2007141351.tif 000003
【図２】
2007141351.tif 000004
【図３】
2007141351.tif 000005
【図４】
2007141351.tif 000006
【図５】
2007141351.tif 000007
【図６】
2007141351.tif 000008
【図７】
2007141351.tif 000009
【図８】
2007141351.tif 000010
【図９】
2007141351.tif 000011
【図１０】
2007141351.tif 000012
【図１１】
2007141351.tif 000013
【図１２】
2007141351.tif 000014